(57)【要約】【課題】商品収容部に収容された商品の全体を観察しやすくできると共に、落下して床面等と衝突した際に、底部が受ける衝突時の荷重を緩和できる商品包装体を提供する。【解決手段】正面シート部１３と背面シート部１４の側縁部１３ａ、１４ａの間に底面シート部１５の端縁部１５ａを挟みこんで接合することで形成される包装袋１１と、包装袋１１の商品収容部１６に収容される商品１２とからなる。底面シート部１５は、中央の谷折り線１７と、一対の山折り線１８ａ、１８ｂとによって折り返されてＭ字断面形状に折り畳まれて、正面シート部１３や背面シート部１４と一体として接合される。包装袋１１の商品収容部１６に商品１２が収容された際に、少なくとも中央部分１５ｂにおいて、底面シート部１５が谷折り線１７を中心にして一対の山折り線１８ａ、１８ｂの間隔を広げることで、商品１２を載置する底上げ面部２０が形成される。【選択図】図１
2013010525.tif 000002
【特許請求の範囲】
【請求項１】
正面シート部と背面シート部と底面シート部とを含み、正面シート部の両側の側縁部と背面シート部の両側の側縁部との間に底面シート部の両側の端縁部を各々挟みこんでこれらを一体として接合することによって商品収容部が形成される包装袋と、該包装袋の商品収容部に収容される商品とからなる商品包装体であって、
前記包装袋の底面シート部は、中央の谷折り線と、これの両側の一対の山折り線とによって折り返されて、Ｍ字断面形状を備えるように折り畳まれた状態で、前記端縁部が前記正面シート部の側縁部と前記背面シート部の側縁部との間に一体として接合されており、
前記包装袋は、平坦に折り畳まれた状態から、前記商品収容部に前記商品が収容されることで、前記底面シート部が、両側の端縁部の間の少なくとも中央部分において、前記谷折り線を中心にして前記一対の山折り線の間隔を広げると共に、前記山折り線よりも外側の外側面部を前記正面シート部と前記背面シート部の下端部分に内側から各々重ね合わせた状態とすることによって、前記包装袋には、該重ね合わされた外側面部を脚部とする底上げされた底上げ面部が、広げられた前記一対の山折り線の間の中間面部によって形成されるようになっており、
該底上げ面部に前記商品の底部を載置した状態で、前記商品収容部に前記商品が収容がされている商品包装体。
【請求項２】
前記正面シート部と前記背面シート部と前記底面シート部とが、合成樹脂製のフィルム材料を用いて形成されており、前記正面シート部の側縁部と前記背面シート部の側縁部と前記底面シート部の端縁部とが、溶断によって一体として接合されている請求項１記載の商品包装体。
【請求項３】
前記底面シート部の前記外側面部と前記正面シート部や前記背面シート部の下端部分との間に挟まれて、補助片が配設されている請求項１又２記載の商品包装体。
【請求項４】
請求項１記載の商品包装体に用いる包装袋であって、
正面シート部と背面シート部と底面シート部とを含み、正面シート部の両側の側縁部と背面シート部の両側の側縁部との間に底面シート部の両側の端縁部を各々挟みこんでこれらを一体として接合することによって商品収容部が形成されており、
前記包装袋の底面シート部は、中央の谷折り線と、これの両側の一対の山折り線とによって折り返されて、Ｍ字断面形状を備えるように折り畳まれた状態で、前記端縁部が前記正面シート部の側縁部と前記背面シート部の側縁部との間に一体として接合されている包装袋。
【請求項５】
前記正面シート部と前記背面シート部と前記底面シート部とが合成樹脂製のフィルム材料を用いて形成されており、前記正面シート部の側縁部と前記背面シート部の側縁部と前記底面シート部の端縁部とが、溶断によって一体として接合されている請求項４記載の包装袋。
【請求項６】
前記底面シート部の前記山折り線より外側の外側面部と前記正面シート部や前記背面シート部の下端部分との間に挟まれて、補助片が配設されている請求項４又は５記載の包装袋。
【発明の詳細な説明】
【技術分野】
【０００１】
本発明は、商品包装体及び包装袋に関し、特に、正面シート部と背面シート部と底面シート部とを含む包装袋と、該包装袋の商品収容部に収容される立体形状の商品とからなる商品包装体、及び該商品包装体に用いる包装袋に関する。
【背景技術】
【０００２】
例えば化粧品や文房具等の小物商品を収容して簡易に陳列できるようにする商品包装体として、好ましくは合成樹脂製の透明なフィルム材料からなる包装袋に商品を収容したものが多用されている。このような商品包装体では、包装袋は、正面シート部と背面シート部とを含んで構成されており、これらの周縁部分を、ヒートシール等によって、あるいはフィルム材料を熱溶着しながら切断する溶断によって簡易に接合することで、商品を収容する商品収容部が包装袋に形成される。
【０００３】
また、包装袋に立体形状の商品を収容する際には、商品の厚さに相当する大きさの空間が、正面シート部と背面シート部とによって挟まれる商品収容部に容易に形成されるようにすることが望ましいことから、扁平なＶ字断面形状を備えるように折り返してなる底面シート部を、Ｖ字断面形状の開放側を下方に向けて逆さにした状態で、正面シート部と背面シート部の底部分の間に挟みこんで取り付けた包装袋を用いた商品包装体も知られている（例えば、特許文献１参照）。
【０００４】
これらの底面シート部を備える包装袋を用いた商品包装体では、正面シート部の両側の側縁部と背面シート部の両側の側縁部との間に底面シート部の両側の端縁部を各々挟み込み、これらを一体として接合することによって包装袋に商品収容部が形成されるようになっており、商品収容部に立体形状の商品を収容した際に、逆さのＶ字断面形状を有する底面シート部の、正面シート部や背面シート部と接合された両側の端縁部の間の部分が、外側に広げられて変形することで、当該両側の端縁部の間の部分を陳列棚の載置面に載置可能な平坦な状態として、商品包装体を自立させて陳列できるようになっている。
【先行技術文献】
【特許文献】
【０００５】
【特許文献１】特開２００３−７２７７７号公報
【発明の概要】
【発明が解決しようとする課題】
【０００６】
一方、近年、例えば店頭における商品包装体の陳列形態として、種々のものが採用されており、例えば陳列棚として、プライスカードや広告類等が取り付けられると共に商品の落下を防止するための仕切表示部が、先端縁部から上方に折れ曲がって数センチ程度の高さで立設する陳列棚が用いられることが多い。このような陳列棚に、立体形状の商品を収容した自立可能な上述の特許文献１の商品包装体を載置して展示する場合に、商品収容部に収容された商品の底部が、広げられた底面シート部と共に陳列棚の載置面に直接的に載置されることになるため、商品包装体を陳列棚の正面側から見た際に、商品の下端部分が数センチ程度の高さの仕切表示部によって覆い隠された状態となって、消費者が商品の全体を観察することが困難になり易い。
【０００７】
また、立体形状の商品を収容した自立可能な上述の特許文献１の商品包装体では、商品収容部に収容された商品の底部は、底面シート部と共に載置面やその他の面に直接的に接触しやすくなることから、例えば梱包作業や搬送作業や陳列作業中に、商品包装体が落下してその底部分が床面等と衝突した際に、衝突時の荷重が緩和されることなく商品の底部に伝わることで、商品が損傷しやすくなる。
【０００８】
本発明は、例えば先端縁部から仕切表示部が立設する陳列棚に陳列された場合でも、商品収容部に収容された商品の全体を観察しやすくすることができると共に、例えば落下して床面等と衝突した際に、商品の底部が受ける衝突時の荷重を効果的に緩和することのできる商品包装体、及び該商品包装体に用いる包装袋を提供することを目的とする。
【課題を解決するための手段】
【０００９】
本発明は、正面シート部と背面シート部と底面シート部とを含み、正面シート部の両側の側縁部と背面シート部の両側の側縁部との間に底面シート部の両側の端縁部を各々挟みこんでこれらを一体として接合することによって商品収容部が形成される包装袋と、該包装袋の商品収容部に収容される商品とからなる商品包装体であって、前記包装袋の底面シート部は、中央の谷折り線と、これの両側の一対の山折り線とによって折り返されて、Ｍ字断面形状を備えるように折り畳まれた状態で、前記端縁部が前記正面シート部の側縁部と前記背面シート部の側縁部との間に一体として接合されており、前記包装袋は、平坦に折り畳まれた状態から、前記商品収容部に前記立体形状の商品が収容されることで、前記底面シート部が、両側の端縁部の間の少なくとも中央部分において、前記谷折り線を中心にして前記一対の山折り線の間隔を広げると共に、前記山折り線よりも外側の外側面部を前記正面シート部や前記背面シート部の下端部分に内側から各々重ね合わせた状態とすることによって、前記包装袋には、該重ね合わされた外側面部を脚部とする底上げされた底上げ面部が、広げられた前記一対の山折り線の間の中間面部によって形成されるようになっており、該底上げ面部に前記商品の底部を載置した状態で、前記商品収容部に前記商品が収容がされている商品包装体を提供することにより、上記目的を達成したものである。
【００１０】
また、本発明は、上記商品包装体に用いる包装袋であって、正面シート部と背面シート部と底面シート部とを含み、正面シート部の両側の側縁部と背面シート部の両側の側縁部との間に底面シート部の両側の端縁部を各々挟みこんでこれらを一体として接合することによって商品収容部が形成されており、前記包装袋の底面シート部は、中央の谷折り線と、これの両側の一対の山折り線とによって折り返されて、Ｍ字断面形状を備えるように折り畳まれた状態で、前記端縁部が前記正面シート部の側縁部と前記背面シート部の側縁部との間に一体として接合されている包装袋を提供することにより、上記目的を達成したものである。
【発明の効果】
【００１１】
本発明の商品包装体又は包装袋によれば、例えば先端縁部から仕切表示部が立設する陳列棚に陳列された場合でも、商品収容部に収容された商品の全体を観察しやすくすることができると共に、例えば落下して床面等と衝突した際に、商品の底部が受ける衝突時の荷重を効果的に緩和することができる。
【図面の簡単な説明】
【００１２】
【図１】本発明の好ましい一実施形態に係る商品包装体の斜視図である。
【図２】本発明の好ましい一実施形態に係る商品包装体の、（ａ）は正面図、（ｂ）は右側面図、（ｃ）は（ａ）を下方から見た底面図である。
【図３】本発明の好ましい一実施形態に係る商品包装体に用いる包装袋の、（ａ）は縦断面図、（ｂ）は（ａ）のＡ部拡大図である。
【図４】（ａ）、（ｂ）は、包装袋に立体形状の商品を収容して底上げ面部が形成される状況を説明する、図２（ａ）のＡ−Ａに沿った部分略示断面図である。
【図５】本発明の好ましい他の実施形態に係る商品包装体を説明する、（ａ）包装袋の縦断面図、（ｂ）は（ａ）のＢ部拡大図、（ｃ）は商品包装体の右側面図である。
【図６】本発明の商品包装体の他の形態を例示する（ａ）は、（ｂ）は右側面図、（ｃ）は底面図である。
【図７】図６の商品包装体に用いた包装袋の、（ａ）は縦断面図、（ｂ）は（ａ）のＣ部拡大図である。
【発明を実施するための形態】
【００１３】
図１に示す本発明の好ましい一実施形態に係る商品包装体１０は、シート材料として、例えば透明な合成樹脂製のフィルムからなる包装袋１１に、商品１２として、例えば小物のボトル形状の化粧品を立たせた状態で収容したものである。本実施形態の商品包装体１０は、包装袋１１に設けた簡易な構成によって、商品１２の底部１２ａを商品包装体１０の底部１０ａから底上げした状態で収容することで、例えば先端縁部から仕切表示部が立設する陳列棚に陳列された場合でも、商品の全体を観察しやすくする機能を備えると共に、例えば落下して床面等と衝突した際に、商品１２の底部１２ａが受ける衝突時の荷重を緩和する機能を備える。
【００１４】
そして、本実施形態の商品包装体１０は、図２（ａ）〜（ｃ）にも示すように、正面シート部１３と背面シート部１４と底面シート部１５とを含み、正面シート部１３の両側の側縁部１３ａと背面シート部１４の両側の側縁部１４ａとの間に底面シート部１５の両側の端縁部１５ａを各々挟みこんでこれらを一体として接合することによって商品収容部１６が形成される包装袋１１と、包装袋１１の商品収容部１６に収容される立体形状の商品１２とからなる包装体であって、包装袋１１の底面シート部１５は、図３（ａ）、（ｂ）に示すように、中央の谷折り線１７と、これの両側（正面シート部１３側と背面シート部１４側）の一対の山折り線１８ａ、１８ｂとによって折り返されて、扁平な（縦長な）Ｍ字断面形状を備えるように折り畳まれた状態で、端縁部１５ａが正面シート部１３の側縁部１３ａと背面シート部１４の側縁部１４ａとの間に一体として接合されている。包装袋１１は、平坦に折り畳まれた状態から、商品収容部１６に立体形状の商品１２が収容されることで、底面シート部１５が、両側の端縁部１５ａの間の少なくとも中央部分１５ｂにおいて、谷折り線１７を中心として一対の山折り線１８ａ、１８ｂの間隔を広げると共に、山折り線１８ａ、１８ｂよりも外側の外側面部１５ｃを正面シート部１３や背面シート部１４の下端部分１３ｂ、１４ｂに内側から各々重ね合わせた状態とすることによって、包装袋１１には、重ね合わされた外側面部１５ｃを脚部１９とする底上げされた底上げ面部２０が、広げられた一対の山折り線１８ａ、１８ｂの間の中間面部１５ｄによって形成されるようになっており、この底上げ面部２０に商品１２の底部１２ａを載置した状態で、商品収容部１６に商品１２が収容がされている。
【００１５】
本実施形態では、包装袋１１を構成する正面シート部１３や背面シート部１４や底面シート部１５は、例えばポリプロピレン樹脂、ポリエチレン樹脂といったポリオレフィン樹脂等からなる、好ましくは厚さが６０〜１００μｍ程度の透明な合成樹脂製のフィルム材料を用いて形成される。また、包装袋１１は、正面シート部１３と背面シート部１４と底面シート部１５とを、好ましくは帯状に連続する一枚のフィルム材料を用いて、後述する所定の折畳み形状となるように折り畳んで一体として形成することができる。また、折り畳んだフィルム材料を、例えば５０〜１６０ｍｍ程度の所定の幅の備えるように、これの両側縁部を熱溶着しながら切断（溶断）することによって、包装袋１１を簡易に且つ容易に形成することができる。
【００１６】
すなわち、包装袋１１は、図３（ａ）、（ｂ）に示すように、例えば１００〜２００ｍｍ程度の長さを有する背面シート部１４の下辺部を、背面側谷折り線２１ｂを介して上方に折り返すことで底面シート部１５を連続して延設させると共に、延設させた底面シート部１５を、第２山折り線１８ｂを介して下方に折り返してから、谷折り線１７を介して上方に折り返し、さらに第１山折り線１８ａを介して下方に折り返してから、正面側谷折り線２１ａを介して上方に折り返すことで正面シート部１３を連続して延設させている。これによって、包装袋１１が平坦に折り畳まれた状態では、底面シート部１５は、中央の谷折り線１７と、これの両側の一対の山折り線１８ａ、１８ｂとによって折り返されて、包装袋１１を側面視してＭ字断面形状を備えるように折り畳まれると共に、正面側谷折り線２１ａや背面側谷折り線２１ｂを介して正面シート部１３や背面シート部１４と連続した状態で、これらの下端部分１３ｂ、１４ｂの間に挟み込まれた状態で配設される。
【００１７】
また、底面シート部１５は、本実施形態では帯状に連続する一枚のフィルム材料から形成され、正面シート部１３や背面シート部１４と同様の幅を有している。したがって正面シート部１３の側縁部１３ａと背面シート部１４の側縁部１４ａとを好ましくは溶断によって接合して、正面シート部１３と背面シート部１４と底面シート部１５とによる商品収容部１６が形成される際に、底面シート部１５は、Ｍ字断面形状を備えるように折り畳まれた両側の端縁部１５ａが、正面シート部１３の側縁部１３ａや背面シート部１４の側縁部１４ａの下端部分１３ｂ、１４ｂにおいて、これらの下端部分１３ｂ、１４ｂの側縁部１３ａ、１４ａの間に各々挟み込まれた状態で、これらと一体として接合されることになる。
【００１８】
正面シート部１３は、背面シート部１４と略同様の形状を有しており、下端部分１３ｂに底面シート部１５を挟み込むようにして、その両側の側縁部１３ａを背面シート部１４の両側の側縁部１４ａと接合一体化することにより、背面シート部１４の上端辺部が出し入れ口部１６ａとして開口する、商品収容部１６が形成される。
【００１９】
また、本実施形態では、正面シート部１３の上方にさらに連続して、ヘッダーシート部２２が同様の幅で延設して設けられている。ヘッダーシート部２２は、例えばポリプロピレン樹脂フィルムからなる矩形形状のヘッダーシート２３を挟み込んだ状態となるように、上端折返し辺部２２ａを介して背面シート部１４側に折り返すと共に、ヘッダーシート２３の直下部分で、重なり合った正背面のヘッダーシート部２２を例えばローレット式熱シール部２４によって接合することで、表示ヘッダー部２５を形成する（図２（ａ）参照）。なお、表示ヘッダー部２５に吊下げ孔２６を形成しておくことによって、商品包装体１０を例えば陳列棚の陳列棒から吊り下げた状態で陳列することも可能になる。
【００２０】
本実施形態では、背面シート部１４側に折り返されたヘッダーシート部２２のローレット式熱シール部２４の下方にさらに連続して、開閉シート部２７が同様の幅で延設して設けられている。開閉シート部２７は、ローレット式熱シール部２４から、背面シート部１４の上端辺部に沿って設けられた出し入れ口部１６ａを覆うようにして、例えば背面シート部１４の２／３程度の高さ位置まで延設して設けられている。開閉シート部２７の下端部側の内側面には、粘着剤２８が取り付けられており、これを背面シート部１４の内側面に着脱可能に粘着させることによって、出し入れ口部１６ａを閉塞したり開放したりできるようになっている。
【００２１】
包装袋１１の商品収容部１６に収容される商品１２は、本実施形態では、例えば小物のボトル形状の化粧品であり、この化粧品１２は、図１及び図２（ａ）〜（ｃ）に示すように、略正方形の横断面形状を備える有底筒状の容器本体１２ｂと、容器本体１２ｂの口首部に着脱可能に装着される有天略円筒状のキャップ部１２ｃとからなる立体形状を備える。本実施形態では、化粧品１２の容器本体１２ｂにおける略正方形の底部１２ａの一辺の幅が、Ｍ字断面形状に折り畳まれた包装袋１１の底面シート部１５を、谷折り線１７を中心にして一対の山折り線１８ａ、１８ｂの間の中間面部１５ｄが平坦になるように変形させた際の、当該一対の山折り線１８ａ、１８ｂの間の間隔幅に相当する大きさとなるように、包装袋１１が形成されていることが、商品１２を安定的に収容できる観点で好ましい。
【００２２】
本実施形態の商品包装体１０は、上述の包装袋１１の商品収容部１６に上述の化粧品１２を収容することによって構成される。包装袋１１の商品収容部１６に化粧品１２を収容するには、例えば平坦に折り畳まれた包装袋１１の出し入れ口部１６ａを上方に向けて該出し入れ口部１６ａにおける正面シート部１３と背面シート部１４との間隔を開くことで該出し入れ口部１６ａを開放させ、開放させた出し入れ口部１６ａの上方から、立体形状の化粧品１２を、これの底部１２ａの側から商品収容部１６に押し込むようにして挿入する。これに伴って、包装袋１１の商品収容部１６の正面シート部１３と背面シート部１４との間の間隔が、化粧品１２の略正方形の底部１２ａの幅（容器本体１２ｂの厚さ）によって、底面シート部１５に向かうにつれて徐々に押し広げられて行くことになる。
【００２３】
商品収容部１６に挿入された化粧品１２が下方に押し込まれて行くのにしたがって、図４（ａ）、（ｂ）示すように、底面シート部１５は、正面シート部１３及び背面シート部１４の側縁部１３ａ、１４ａと一体として接合された両側の端縁部１５ａの間の少なくとも中央部分１５ｂにおいて（図２（ａ）参照）、化粧品１２の略正方形の底部１２ａによって、谷折り線１７を中心にして、一対の山折り線１８ａ、１８ｂの間隔が押し広げられて行く。また、一対の山折り線１８ａ、１８ｂの間のＶ字形状に折り畳まれていた中間面部１５ｄは、谷折り線１７を上方に押し上げるようにしながら、谷折り線１７を挟んだ両側部分が平坦に連続するように変形して行く（図４（ａ）参照）。この際に、底面シート部１５の山折り線１８ａ、１８ｂよりも外側の外側面部１５ｃは、正面シート部１３や背面シート部１４の下端部分１３ｂ、１４ｂと重ね合わされた状態を保持したまま、正面シート部１３や背面シート部１４と共に外側に押し広げられて行く。
【００２４】
商品収容部１６に挿入された化粧品１２をさらに下方に押し込んで行けば、一対の山折り線１８ａ、１８ｂの間の中間面部１５ｄが平坦に連続するように変形して、底上げ面部２０が形成される（図４（ｂ）参照）。また、山折り線１８ａ、１８ｂよりも外側の両側の外側面部１５ｃは、正面シート部１３や背面シート部１４の下端部分１３ｂ、１４ｂの内側に各々重ね合わされた状態を保持することにより、これらの下端部分１３ｂ、１４ｂに沿って重ねて配置されることで効果的に補強された、底上げ面部２０を強固に支持する脚部１９を形成する。
【００２５】
これによって、包装袋１１の商品収容部１６の下端部分には、底面シート部１５の両側の端縁部１５ａの間の少なくとも中央部分１５ｂに、押し広げられた一対の山折り線１８ａ、１８ｂの間の中間面部１５ｄによる底上げ面部２０が形成される。すなわち、底上げ面部２０は、正面側谷折り線２１ａや背面側谷折り線２１ｂが設けられた、正面シート部１３や背面シート部１４の下辺部による商品包装体１０の底部１０ａから底上げされた状態で、且つ正面シート部１３や背面シート部１４の下端部分１３ｂ、１４ｂと重ね合わされた、底面シート部１５の山折り線１８ａ、１８ｂよりも外側の外側面部１５ｃによる脚部１９によって強固に支持された状態で形成される。
【００２６】
またこれによって、底面シート部１５による底上げ面部２０の両端部分から、正面シート部１３や背面シート部１４の側縁部１３ａ、１４ａと一体として接合された両側の端縁部１５ａの下端部に向けて、下り勾配で延設する傾斜スロープ部２８が形成される。すなわち、傾斜スロープ部２８は、底面シート部１５の底上げ面部２０よりも端縁部１５ａ側の領域における、略三角形状に押し広げられた一対の山折り線１８ａ、１８ｂの間の中間面部１５ｄによって、その頂角部が両側の端縁部１５ａの下端に接続された状態で形成される。
【００２７】
このようにして底上げされた底上げ面部２０に化粧品１２の底部１２ａを載置した立設状態で、商品である化粧品１２が包装袋１１の商品収容部１６に収容されて、本実施形態の商品包装体１０が形成される。
【００２８】
そして、上述の構成を備える本実施形態の商品包装体１０によれば、例えば先端縁部から仕切表示部が立設する陳列棚に陳列された場合でも、商品収容部１６に収容された商品１２の全体を観察しやすくすることができると共に、例えば落下して床面等と衝突した際に、商品１２の底部１２ａが受ける衝突時の荷重を効果的に緩和することが可能になる。
【００２９】
すなわち、本実施形態によれば、包装袋１１の底面シート部として、Ｍ字断面形状を備えるように折り畳まれる底面シート部１５を設けただけの簡易な構成によって、商品１２を収容した際に、商品包装体１０の底部１０ａから底上げした底上げ面部２０を商品収容部１６に容易に形成することができるので、この底上げ面部２０に商品１２の底部１２ａを載置して、底上げした状態で商品１２を収容することで、例えば先端縁部から仕切表示部が立設する陳列棚に陳列した場合でも、底部１２ａが仕切表示部によって覆い隠されないように展示することを可能にして、商品の全体を観察しやすくすることが可能になる。
【００３０】
また、商品１２が、正面シート部１３や背面シート部１４の下端部分１３ｂ、１４ｂと重ね合わされた底面シート部１５の山折り線１８ａ、１８ｂよりも外側の外側面部１５ｃによる脚部１９によって強固に支持された底上げ面部２０に底部１２ａを載置して、商品包装体１０に収容されているので、例えば落下して床面等と衝突した際に、商品１２の底部１２ａを床面等に直接的に衝突させることなく、重ね合わされた正面シート部１３や背面シート部１４の下端部分１３ｂ、１４ｂと底面シート部１５の外側面部１５ｃとによって衝突時の荷重を受けた後に、これを緩和させた状態で間接的に商品１２の底部１２ａに伝えることができるので、商品が損傷するのを効果的に回避することが可能になる。
【００３１】
図５（ａ）〜（ｃ）は、本発明の好ましい他の実施形態に係る商品包装体３０を示すものである。図５（ａ）〜（ｃ）に示す商品包装体３０は、上記実施形態の商品包装体１０と同様の構成を備える他、底面シート部１５の山折り線１８ａ、１８ｂよりも外側の外側面部１５ｃと正面シート部１３や背面シート部１４の下端部分１３ｂ、１４ｂとの間に挟まれて、補助片２９が配設されている。補助片２９は、ヘッダーシート２３と同様の材質の例えばポリプロピレンからなり、底面シート部１５の外側面部１５ｃと略同様の大きさ及び形状の横長の帯板シート形状に形成される。補助片２９は、両端部を正面シート部１３や背面シート部１４の両側の側縁部１３ａ、１４ａや、底面シート部１５の両側の端縁部１５ａと接合することなく、底面シート部１５の外側面部１５ｃと正面シート部１３や背面シート部１４の下端部分１３ｂ、１４ｂとの間に差し込んだ状態で、好ましくは正面シート部１３や背面シート部１４や底面シート部１５を溶断する際に取り付けられる。
【００３２】
図５（ａ）〜（ｃ）に示す商品包装体３０によれば、上記実施形態の商品包装体１０と同様の作用効果を奏する他、底面シート部１５の外側面部１５ｃと正面シート部１３や背面シート部１４の下端部分１３ｂ、１４ｂとの間に挟まれて、補助片２９が配設されていることで、商品包装体３０の底部１０ａから底上げした底上げ面部２０に載置された商品１２をさらに強固に支持することが可能になると共に、商品包装体３０が落下等した際に商品１２の底部１２ａが受ける衝突時の荷重を、さらに効果的に緩和させることが可能になる。
【００３３】
また、ヘッダーシート２３と共に補助片２９を表示部として利用して、各種の広告類を表示することが可能になると共に、各種の色彩や装飾を施すことで、商品包装体３０の美観や意匠性を向上させることが可能になる。
【００３４】
なお、本発明は上記実施形態に限定されることなく種々の変更が可能である。例えば、底面シート部を、正面シート部や背面シート部と共に一枚のフィルム材料から形成する必要は必ずしも無く、分断して形成した正面シート部の下端部分と背面シート部の下端部分との間に挟み込むようにして、別途形成したＭ字断面形状を備える底面シート部を配設してこれらを接合することによって、包装袋を形成することもできる。また、商品包装体の上部に表示ヘッダー部を設ける必要は必ずしも無い。正面シート部や背面シート部や底面シート部を構成するシート材料は、合成樹脂製のフィルム材料の他、薄い紙製のシート材料等であっても良い。例えばシート材料として薄い紙製のシート材料を用いる場合には、接着剤等を用いて、正面シート部の側縁部と背面シート部の側縁部と底面シート部の端縁部とを一体として接合することができる。また、各種材料を積層したシート材料を使用することもできる。
【００３５】
さらに、包装袋に収容される商品は、例えば化粧品や文房具等の小物商品の他、Ｍ字断面形状を備える底面シート部によって底上げ面部を包装袋に形成することが可能な範囲で、種々の大きさや形状の商品を収容して商品包装体とすることができる。例えば図６（ａ）〜（ｃ）及び図７（ａ）、（ｂ）に示すように、縦横９０〜１００ｍｍ、厚さ５０ｍｍ程度の大きさの略六面体形状の商品４２を、底上げ面部４３によって底上げした状態で包装袋４１に収容して、商品包装体４０とすることができる。またこの際には、Ｍ字断面形状を備える底面シート部４４の第１山折り線４５ａや第２山折り線４５ｂと近接するこれらの外側部分に、例えばローレット式熱シールによる補強線部４６を形成しておくことで、底上げ面部４３の形状安定性を向上させることが可能になる。
【符号の説明】
【００３６】
１０，３０，４０  商品包装体
１０ａ  底部
１１，４１  包装袋
１２  商品（化粧品）
１２ａ  底部
１３  正面シート部
１３ａ  側縁部
１３ｂ  下端部分
１４  背面シート部
１４ａ  側縁部
１４ｂ  下端部分
１５，４４  底面シート部
１５ａ  端縁部
１５ｂ  両側の端縁部の間の少なくとも中央部分
１５ｃ  外側面部
１５ｄ  中間面部
１６  商品収容部
１７  谷折り線
１８ａ，４５ａ  第１山折り線
１８ｂ，４５ｂ  第２山折り線
１９  脚部
２０，４３  底上げ面部
２１ａ  正面側谷折り線
２１ｂ  背面側谷折り線
２２  ヘッダーシート部
２５  表示ヘッダー部
２７  開閉シート部
２９  補助片
４２  商品
４６  補強線部
【図１】
2013010525.tif 000003
【図２】
2013010525.tif 000004
【図３】
2013010525.tif 000005
【図４】
2013010525.tif 000006
【図５】
2013010525.tif 000007
【図６】
2013010525.tif 000008
【図７】
2013010525.tif 000009